(57)【特許請求の範囲】
【請求項１】
壁パネル間に形成された縦目地のシール構造であって、
前記縦目地内に挟入されたバックアップ材と、
前記縦目地内における前記バックアップ材の前面に充填されたシーリング材と、
前記シーリング材の背面側における前記壁パネルに、前記縦目地内に向かって開口すると共に当該縦目地の延設方向に沿って設けられた一連の切欠き部とを備えると共に、
前記壁パネルは、横桟を設けてなる中空壁パネルであり、前記横桟の上面は、前記シーリング材の背面付近を最低部にして傾斜していること、
を特徴とする縦目地のシール構造。
【請求項２】
壁パネル間に形成された縦目地のシール構造であって、
前記縦目地内に挟入されたもので、当該縦目地の延設方向に透水性を有する一連のバックアップ材と、
前記縦目地内における前記バックアップ材の前面に充填されたシーリング材とを備えると共に、
前記壁パネルは、横桟を設けてなる中空壁パネルであり、前記横桟の上面は、前記シーリング材の背面付近を最低部にして傾斜していること、
を特徴とする縦目地のシール構造。
【請求項３】
請求項２記載の縦目地のシール構造において、
前記シーリング材の背面側における前記壁パネルに、前記縦目地に向かって開口すると共に当該縦目地の延設方向に沿った状態で一連の切欠き部が設けられたこと、
を特徴とする縦目地のシール構造。
【発明の詳細な説明】
【０００１】
【発明の属する技術分野】
本発明は、建築物躯体の外壁に形成された縦目地のシール構造に関する。
【０００２】
【従来の技術】
壁パネルを外壁として建築物躯体（例えば、鉄骨梁等）へ止め金具で固定する場合、隣接する壁パネル間には目地が形成される。従来、この目地にはバックアップ材が挟入され、その前面にシーリング材を充填することにより目地を水密状態に封止し、壁パネル外部から躯体側への雨水の浸入を防止していた。ところが、このようなシール構造は、壁パネルの平行な側周面同士の間にシーリング材が接着されているみであり、径年劣化などによりシーリング材と壁パネルとの間に剥離等が容易に生じ、雨水が躯体側へ浸入してしまうことがしばしばあった。
【０００３】
このような不具合を防止するため、いわゆる２重シール構造が提案された。図７は、縦目地の二重シール構造の一例を示す水平断面図である。このシール構造では、躯体１側にクランプ金具３を介して左右の壁パネル５ａ，５ｂを取り付ける際に、クランプ金具３と壁パネル５ａ，５ｂとの間に、目地幅よりも大きい幅の縦目地シール材７を挟み込むことによって躯体１側から縦目地９を塞ぐ。そして、縦目地９内にバックアップ材１１を挟み入れた後、さらに、縦目地９をシーリング材１３で封止することにより、縦目地９から躯体１側への雨水の浸入をシーリング材１３及び縦目地シール材７によって２重に阻止してる。
【０００４】
【発明が解決しようとする課題】
しかしながら、上記構成の縦目地のシール構造には以下のような課題があった。
すなわち、図７を用いて説明したシール構造では、シーリング材１３に加え、縦目地シール材７が別途必要となるため、部品点数が増え、コストが増加する。また、縦目地シール材７をクランプ金具３と壁パネル５ａ，５ｂとの間に挟み込んだ状態で、壁パネル５ａ，５ｂを躯体１側に取り付けなければならず、施工作業が煩雑になる。
そこで本発明は、十分な止水効果を得ることができ、かつ施工性の向上と施工コストの低減を図ることができる縦目地のシール構造を提供することを目的とする。
【０００５】
【課題を解決するための手段】
上記目的を達成するための本発明は、壁パネル間の縦目地のシール構造である。特に請求項１記載の発明は、縦目地内に挟入されたバックアップ材と、その前面に充填されたシーリング材と、壁パネルに設けられた切欠き部とを有しており、上記切欠き部はシーリング材の背面側における壁パネルに、上記縦目地に向かって開口すると共に当該縦目地の延設方向に沿って設けられていることを特徴としている。
このような構成のシール構造では、シーリング材に欠陥が生じて縦目地内に水分が浸入した場合、この水分はシーリング材の背面側に設けられ縦目地に向かって開口した切欠き部内に導かれる。この切欠き部は、縦目地の延設方向に沿って設けられていることから、この切欠き部内に導かれた水分は当該切欠き部内を伝わって縦目地の下部から排出される。
【０００６】
また、請求項２記載の縦目地のール構造は、縦目地内に挟入されたバックアップ材と、その前面に充填されたシーリング材とを有しており、特に上記バックアップ材が縦目地の延設方向に透水性を有する一連のものであることを特徴としている。
このような構成のシール構造では、シーリング材に欠陥が生じて縦目地内に水分が浸入した場合、この水分はシーリング材の背面に設けられたバックアップ材に達する。このバックアップ材は縦目地の延設方向に透水性を有していることから、このバックアップ材に達した水分は当該バックアップ材を伝わって縦目地の下部から排出される。
【０００７】
そして、請求項３記載の発明は、請求項２記載の発明において、上記シーリング材の背面側における壁パネルに、縦目地に向かって開口すると共に当該縦目地の延設方向に沿った状態で一連の切欠き部を設けたことを特徴としている。
このような構成のシール構造では、シーリング材から縦目地内に浸入した水分は、パックアップ材と切欠き部とを伝わって縦目地の下部から排出される。
【０００８】
さらに、請求項４記載の発明は、上記各発明における壁パネルが横桟を設けてなる中空壁パネルであり、横桟の上面が上記シーリング材の背面付近を最低部にして傾斜していることを特徴としている。
このような構成のシール構造では、シーリング材に欠陥が生じることによって縦目地内に浸入した水分が、さらに縦目地から壁パネルの中空部内へ浸入した場合、この水分はシーリング材の背面側、すなわち切欠き部やバックアップ材に向かって横桟の上面を流れる。このため、切欠き部やバックアップ材から溢れる程の多量の水分が目地内に浸入し、その水分が壁パネルの中空部内へ浸入しても、この水分は室内側に浸入することはなく切欠き部やバックアップ材に供給される。
【０００９】
【発明の実施の形態】
以下、本発明の縦目地のシール構造を適用した各実施の形態を図面に基づいて説明する。
【００１０】
（第１実施形態）
図１は、請求項１記載の発明を適用した縦目地のシール構造の一例を示す水平断面図であり、図２は図１のシール構造に用いる壁パネルの斜視図である。
図２に示すように、壁パネル２１は、外壁２３と内壁２５との間に横桟２７を設けてなる中空壁パネルであり、壁パネル２１の対向する両側面に貫通する複数の中空部２９を有している。また、壁パネル２１において、横桟２７と略平行な一方の周端面には凸条３１が形成されており、ここでは図示を省略した他方の周端面は断面凹状に形成されている。さらに、外壁２３と横桟２７との境界付近には、壁パネル２１の側周面側に開口する一連の溝状の切欠き部３３が形成されている。このような構成の壁パネル２１は、例えば押し出し成形によって形成されたものである。
【００１１】
そして、上記構成の壁パネル２１は、外壁２３が室外側に配置され、かつ凸条３１が形成された周端面が上になるようにして建築物躯体に取り付けられる。したがって、図１に示すように、左右で隣接する壁パネル２１同士は、切欠き部３３を平行に対向させた状態で配置され、これらの隣接する壁パネル２１間に縦目地３５が形成される。このため、この縦目地３５における切欠き部３３は、縦目地３５内に向かって開口すると共に縦目地３５の延設方向に沿って設けられていることになるのである。そして、本実施形態の縦目地のシール構造では、この縦目地３５内に、室内側（すなわち建築物躯体側）から順に、環状ガスケット３７、充填材３９、バックアップ材４１及びシーリング材４３を挟み込んだ構成になっている。
【００１２】
上記環状ガスケット３７は、例えばシリコーン系の樹脂等からなる一連のチューブ状ものであり、縦目地３５内における内壁２５間に縦目地３５の延設方向に沿って挟入されている。
また、上記充填材３９は、ロックウールやセラミックウール等からなるものであり、環状ガスケット３７の前面（すなわち室外側）における縦目地３５内に詰め込まれている。
そして、上記バックアップ材４１は、ウレタン系の樹脂等からなる一連のものであり、充填材３９の前面の切欠き部３３と外壁２３との境目に、縦目地３５の延設方向に沿って挟入されている。このバックアップ材４１は、縦目地３５内に対して切欠き部３３を塞ぐことなく設けられることで、バックアップ材４１を伝わって、切欠き部３３よりも室内側に水分が浸入することを防止する。
さらに、上記シーリング材４３は、バックアップ材４１の前面の縦目地３５内に充填されている。このため、上記切欠き部３３は、シーリング材４３の背面（室内側面）側に設けられていることになるのである。上記シーリング材４３は、シリコーン系やポリサルファイド系の樹脂からなるものであり、左右の壁パネル２１の外壁２３間に隙間を形成することなく充填されている。
【００１３】
上記構成の縦目地のシール構造では、シーリング材４３に欠陥が生じて縦目地３５内に水分が浸入した場合、この水分は縦目地３５に向かって開口した切欠き部３３内に導かれる。この切欠き部３３は、縦目地３５の延設方向に沿って設けられていることから、この切欠き部３３内に導かれた水分は当該切欠き部３３内を伝わって縦目地３５の下部から排出される。この結果、特別なシール材を用いた煩雑な施工作業を行うことなく、シーリング材４３及び切欠き部３３によって室内側への水分の浸入を防止し、十分な止水効果を得ることができる。
【００１４】
図３は、上記第１実施形態の縦目地構造の他の例を説明するための壁パネルの斜視図である。上記第１実施形態のシール構造には、ここで示すような構成の壁パネルを用いても良い。
すなわち、図３に示す壁パネル２１ａと、図２に示した壁パネル（２１）との異なる部分は、外壁２３と内壁２５との間の横桟２７ａにあり、その他の構成は同様である。すなわち、壁パネル２１ａにおける横桟２７ａの上面４５は、切欠き部３３を最低部とした斜面で構成されている。
【００１５】
上記壁パネル２１ａを、図１を用いて説明したシール構造に適用した場合には、壁パネル２１ａの横桟２７ａの上面４５が縦目地３５側に開口した切欠き部３３（シーリング材４３の背面付近）を最低部にして傾斜した状態になる。
このシール構造は、請求項１及び請求項４記載の発明を適用した縦目地構造の一例になる。そして、このような構成のシール構造では、シーリング材４３に欠陥が生じることによって縦目地３５内に浸入した水分が、さらに縦目地３５から壁パネル２１ａの中空部内へ浸入した場合、この水分は切欠き部３３に向かって横桟２７ａの上面４５を流れる。このため、切欠き部３３から溢れる程の多量の水分が縦目地３５内に浸入しても、この水分は室内側に浸入することはなく切欠き部３３に供給され排出される。したがって、さらに大量の水分の浸入に対する止水効果を得ることができる。
【００１６】
（第２実施形態）
図４は、請求項２記載の本発明を適用した縦目地のシール構造の一例を示す水平断面図である。この縦目地構造に用いる壁パネル２１ｂは、例えば上記図１及び図２を用いて説明した第１実施形態で用いた壁パネル（２１）において切欠き部（３３）が形成されていないものであることとする。
【００１７】
そして、本実施形態のシール構造では、建築物躯体に取り付けられた上記壁パネル２１ｂ間の縦目地３５内に、室内側から順に、充填材３９、縦目地３５の延設方向に透水性を有するバックアップ材４９及びシーリング材４３が挟み込まれた構成になっている。充填材３９及びシーリング材４３は、上記第１実施形態で説明したと同様のものが用いられる。また、バックアップ材４９は、縦目地３５の延設方向に透水性を有するものである。このようなバックアップ材４９としては、例えばポリエチレン系の長繊維を束にした一連の繊維束からなるものがある。このような繊維束からなるバックアップ材４９は、繊維長方向を縦目地３５の延設方向にして当該縦目地３５内に挟入されることによって、縦目地３５の延設方向に透水性を有するものになる。
尚、充填材３９の室内側には、第１実施形態で説明したと同様のガスケットを設けても良い。
【００１８】
上記構成のシール構造によれば、このバックアップ材４９は縦目地３５の延設方向に透水性を有するため、シーリング材４３に欠陥が生じて縦目地３５内に水分が浸入し、この水分がシーリング材４３の背面に設けられたバックアップ材４９に達した場合、この水分は当該バックアップ材４９を伝わって縦目地３５の下部から排出される。この結果、特別なシール材を用いた煩雑な施工作業を行うことなく、シーリング材４３及びバックアップ材４９によって室内側への水分の浸入が防止され、十分な止水効果を得が得られる。
【００１９】
図５は、上記第２実施形態の縦目地構造の他の例を説明するための壁パネルの斜視図である。上記第２実施形態のシール構造には、ここで示すような構成の壁パネルを用いても良い。
すなわち、図５に示す壁パネル２１ｃと、図４を用いたシール構造の説明に用いた壁パネル（２１ｂ）との異なる部分は、外壁２３と内壁２５との間の横桟２７ｃにあり、その他の構成は同様である。すなわち、壁パネル２１ｃにおける横桟２７ｃの上面５１は、横桟２７と略垂直な壁パネル２１ｃの側周壁方向の外壁２３側を最低部とした斜面で構成されている。
【００２０】
上記壁パネル２１ｃを、図４を用いて説明したシール構造に適用した場合には、壁パネル２１ｃの横桟２７ｃの上面５１がバックアップ材４９（シーリング材４３の背面）付近を最低部にして傾斜した状態になる。
このシール構造は、請求項２及び請求項４記載の発明を適用した縦目地構造の一例になる。そして、このような構成のシール構造では、シーリング材４３に欠陥が生じることによって縦目地３５内に浸入した水分が、さらに縦目地３５から壁パネル２１ｃの中空部内へ浸入した場合、この水分はバックアップ材４９に向かって横桟２７ｃの上面５１を流れる。このため、バックアップ材４９から溢れる程の多量の水分が縦目地３５内に浸入しても、この水分は室内側に浸入することはなくバックアップ材４９に供給され排出される。したがって、さらに大量の水分の浸入に対する止水効果を得ることができる。
【００２１】
（第３実施形態）
図６は、請求項３記載の本発明を適用した縦目地のシール構造の一例を示す水平断面図である。このシール構造は、第１実施形態と第２実施形態とを組み合わせたものであり、図４を用いて説明した第２実施形態で用いた壁パネルを第１実施形態で図２を用いて説明した壁パネル２１または図３を用いて説明した壁パネル（２１ａ）に置き換えた構成のものである。
【００２２】
すなわち、図６に示すシール構造では、縦目地３５内に室内側から順に充填材３９、縦目地３５の延設方向に透水性を有するバックアップ材４９及びシーリング材４３が設けられており、シーリング材４３の背面側における壁パネル２１（２１ａ）部分には、縦目地３５に向かって開口すると共に当該縦目地３５の延設方向に沿って設けられた一連の切欠き部３３が設けられている。ただしこの場合、室外側からシーリング材４３部を通過してバックアップ材４９に達した水分は、バックアップ材４９を伝わって縦目地３５の下部に排出されるため、この水分がパックアップ材４９を伝わって切欠き部３３の室内側に浸入することはない。そこで、縦目地３５内に対して切欠き部３３が塞がれるようにバックアップ材４９を設けても良い。
【００２３】
このような構成のシール構造によれば、シーリング材４３に欠陥が生じることによって縦目地３５内に浸入した水分は、パックアップ材４９と切欠き部３３とを伝わって縦目地３５の下部から排出される。この結果、特別なシール材を用いた煩雑な施工作業を行うことなく、シーリング材４３、切欠き部３３及びパックアップ材４９によって室内側への水分の浸入を防止し、上記第１実施形態及び第２実施形態よりもさらに十分な止水効果を得ることができる。
【００２４】
【発明の効果】
以上説明したように本発明の請求項１〜請求項４記載の縦目地のシール構造によれば、縦目地の室外側に充填されたシーリング材から縦目地内に浸入した水分を、室内側に浸入させることなく縦目地内においてその下方に流して排出することが可能になる。したがって、縦目地の室内側に特別なシール材を用いた煩雑な施工作業を施すことなく、当該縦目地から室内側への水分の浸入を防止することができる。この結果、縦目地のシーリング施工において、十分な止水効果を得ることができ、かつ施工性の向上と施工コストの低減を図ることが可能になる。
【図面の簡単な説明】
【図１】第１実施形態の縦目地のシール構造を説明するための水平断面図である。
【図２】第１実施形態の縦目地のシール構造に用いる壁パネルの斜視図である。
【図３】第１実施形態の縦目地のシール構造に用いる他の壁パネルの斜視図である。
【図４】第２実施形態の縦目地のシール構造を説明するための水平断面図である。
【図５】第２実施形態の縦目地のシール構造に用いる壁パネルの斜視図である。
【図６】第３実施形態の縦目地のシール構造を説明するための水平断面図である。
【図７】従来の縦目地構造を説明するための水平断面図である。
【符号の説明】
２１，２１ａ，２１ｂ，２１ｃ…壁パネル、２７ａ，２７ｃ…横桟、３３…切欠き部、３５…縦目地、４３…シーリング材、４５，５１…上面、４１，４９…バックアップ材
【図１】
0003895863.tif 000002
【図２】
0003895863.tif 000003
【図３】
0003895863.tif 000004
【図４】
0003895863.tif 000005
【図５】
0003895863.tif 000006
【図６】
0003895863.tif 000007
【図７】
0003895863.tif 000008